(57)【要約】【課題】電池交換の際に電池ケースのロックを外すと電池ケースが操作パネルより少なくとも一個の電池を露出する最終位置までスライドして電池を簡単に取り出しできる。【解決手段】前面操作パネル面５の下部を奥へ下り傾斜状としてその傾斜面５ａに電池ケース取り出し口９を設け、前記操作パネル面５の電池ケース取り出し口９に連通しかつ傾斜した操作パネル面５に対して奥方向の斜め上方へ電池ケース収容枠体１０を傾斜して設け、該電池ケース収容枠体１０に１又は複数個の電池Ａを収容する電池ケース２０を前記操作パネル面に設けた取り出し口９を通じて出没可能に備え、電池ケースを前面操作パネル面より少なくとも一個の電池を露出しうる最終位置で保持可能で、かつ前面操作パネル面に収める収納位置でロック可能に備える。【選択図】　　　図２
2004125335.tif 000002
【特許請求の範囲】
【請求項１】
前面操作パネル面の下部を奥へ下り傾斜状としてその傾斜面に電池ケース取り出し口を設け、
前記操作パネル面の電池ケース取り出し口に連通しかつ傾斜した操作パネル面に対して奥方向の斜め上方へ電池ケース収容枠体を傾斜して設け、
該電池ケース収容枠体に１又は複数個の電池を収容する電池ケースを前記操作パネル面に設けた取り出し口を通じて出没可能に備え、
電池ケースを前面操作パネル面より少なくとも一個の電池を露出しうる最終位置で保持可能で、かつ前面操作パネル面に収める収納位置でロック可能に備えたことを特徴とするコンロ。
【請求項２】
前記電池ケース収容枠体の傾斜を電池ケースが自重で滑り動く程度の傾斜とした請求項１に記載のコンロ。
【請求項３】
電池ケース収容枠体と電池ケースに、電池ケースを前面操作パネル面より少なくとも一個の電池を露出しうる最終位置で受止め保持するストッパー手段を備えたことを特徴とする請求項１又は２に記載のコンロ。
【発明の詳細な説明】
【０００１】
【発明の属する技術分野】
この発明は、点火装置、制御装置等の電源とする乾電池を収容する電池ケースを備えたコンロに関する。
【０００２】
【従来の技術】
【特許文献１】
特開平８−２５００８８号公報
【特許文献２】
登録実用新案第３００９４３４号公報
従来、ガスコンロ等のガス燃焼器具の前面側に乾電池ケースを設け、器具前面からの電池交換等を可能とするものとしては、たとえば、特許文献１の乾電池ケースでは、前面操作パネル面は前面がほぼ垂直で、その操作パネル面に対して蓋付き電池ボックスが水平に備えられ、蓋付き電池ケースを電池ボックス内の所定位置まで収納すると、蓋付き電池ケースは復元力をもつ押え手段で押圧された状態のもとに復元力をもつストッパー手段でロックされるものが提案され、特許文献２の乾電池ケースでは、乾電池ケース自体を傾斜して設け、この乾電池ケースの出口側に乾電池の支承を兼ねた蓋体と、乾電池自体を受け止めるストッパーを設ける構成が提案されている。
【０００３】
【発明が解決しようとする課題】
前記した特許文献１の乾電池ケースの場合、コンロの操作パネル面がほぼ垂直で電池ケースを水平に設けてあるので、電池交換時に手で電池ケースを引き出さなければならず、それを途中の状態で止めると電池が露出しないので、電池交換をしにくいことがある。
また、電池ケースを水平にスライドさせるには、電池ケースを収納する電池ボックスを水平に設けなければならないが、コンロの内部にはグリル、点火機器、配管等が内蔵されていて電池ボックスを水平に設置するには奥行きが狭く、電池ボックスを設置することが出来ない場合がある。
また、前記した特許文献２の乾電池ケースの場合には、乾電池ケース自体は器具の内部に固定されるもので、蓋体を開けると乾電池ケース内の乾電池が出口側へ自重で滑り動いてケース出口又は蓋体のストッパーで受止めるが、手前の乾電池の一部が露出するだけで大部分はケース内にあるので、手で乾電池を取出しにくく、逆に電池を入れるときも乾電池ケースが内部に隠れていて分かりにくく、しかも電池を入れる口が狭いので入れにくいという点があり、また、奥の乾電池は出口のストッパーで受止めるが、電池の滑り落ちる勢いでストッパーを乗り越えて脱落する恐れがある。
また、特許文献２の乾電池ケースは、後方へやや上り傾斜したコンロ操作パネル面に対して、乾電池ケースも後方へ上り傾斜して設けられるため、操作パネル面に対して乾電池の取り出し方向が直交せず、乾電池の取り出し方向の収納スペースが余分に必要となる。
【０００４】
この発明は上記課題を解決するもので、電池交換の際に電池ケースのロックを外すと電池ケースを操作パネル面の下部の傾斜面の前面より少なくとも一個の電池を露出させる手前側の最終位置までスライドして電池の収納、交換を容易としたコンロの提供を目的としている。
【０００５】
【課題を解決するための手段】
この発明の請求項１のコンロは、前面操作パネル面の下部を奥へ下り傾斜状としてその傾斜面に電池ケース取り出し口を設け、前記操作パネル面の電池ケース取り出し口に連通しかつ傾斜した操作パネル面に対して奥方向の斜め上方へ電池ケース収容枠体を傾斜して設け、該電池ケース収容枠体に１又は複数個の電池を収容する電池ケースを前記操作パネル面に設けた取り出し口を通じて出没可能に備え、電池ケースを前面操作パネル面より少なくとも一個の電池を露出しうる最終位置で保持可能で、かつ前面操作パネル面に収める収納位置でロック可能に備えたを要旨とする。
【０００６】
請求項２の発明は、請求項１において、前記電池ケース収容枠体の傾斜を電池ケースが自重で滑り動く程度の傾斜としたことを要旨とする。
【０００７】
請求項３の発明は、請求項１又は２において、前記電池ケース収容枠体と電池ケースに、電池ケースを前面操作パネル面より少なくとも一個の電池を露出しうる最終位置で受止め保持するストッパー手段を備えたことを要旨とする。
【０００８】
上記構成を有するこの発明の請求項１のコンロによれば、前面操作パネル面の下部を奥へ下り傾斜状としてその傾斜面に設けた電池ケース取り出し口に傾斜した操作パネル面に対して電池ケース収容枠体を奥方向の斜め上方へ傾斜して設け、該電池ケース収容枠体に１又は複数個の電池を収容する電池ケースを前記操作パネル面に設けた取り出し口を通じて出没可能に備え、電池ケースを前面操作パネル面より少なくとも一個の電池を露出しうる最終位置で保持可能で、かつ前面操作パネル面に収める収納位置でロック可能に備えたので、電池ケースを取り出し時操作パネルより前方に少なくとも１個の電池を取り出すことができる最終位置まで自動的にスライドさせて保持させて、その位置で電池ケースの電池を取り出して交換をすることができる。電池ケースの手前の電池を取り出してあけると、奥に入れた電池も傾斜で前方にスライドして取り出しできる。電池ケースを収納位置まで電池ケースを押し込んでロックし、操作パネル面の電池ケース取り出し口を電池ケースの蓋で塞ぐことができる。また、操作パネル面と電池ケース収容枠体との間に無駄なスペースができないようにできる。
【０００９】
上記構成を有するこの発明の請求項２のコンロのよれば、前記電池ケース収容枠体の傾斜を電池ケースが自重で滑り動く程度の傾斜としたので、電池ケースが自動的に電池ケース取り出し口から進出できて、電池の収納、交換を容易にできる。
【００１０】
上記構成を有するこの発明の請求項３のコンロによれば、前記電池ケース収容枠体と電池ケースに、電池ケースを前面操作パネル面より少なくとも一個の電池を露出しうる最終位置で受止め保持するストッパー手段を備えたので、電池ケースを電池ケース取り出し口から少なくとも１個の電池を操作パネル面の前面に露出した状態で受止めて電池の収納、交換を容易にできる。電池ケースはストッパー手段で受け止められるので、電池ケース、電池の脱落の心配はない。
【００１１】
【発明の実施の形態】
以下この発明のコンロの実施形態について図面を参照して説明する。　図１は、この発明のテーブルコンロの斜視図、図２は同正面図、図３は電池ケース収容枠体に電池ケースを収納状態の左側面図、図４は同平面図、図５は電池ケース収容枠体に電池ケースを収納状態の断面図、図６は電池ケースが進出した状態の一部破断右側面図、図７は電池ケースの正面図、図８は同平面図および図９は同底面図を示す。
【００１２】
図においてコンロの一例としてテーブルコンロの場合で説明する。
図１および図２において、１はテーブルコンロで、トッププレート２に２組のコンロバーナ３と、それらの周囲に設けられた五徳４と、コンロ１の前面操作パネル面５を中央部で屈曲して下部を奥へ下り傾斜状に設け、その操作パネル面５には例えば、中央上部にグリルの表示窓６、下部にグリルの受け皿体７が備えられ、操作パネル面５の左右にコンロ用とグリル用の点火、消火操作ボタン８等が備えられ、それぞれの点火、消火操作ボタン８をプッシュ操作することによりそれぞれのコンロバーナ、グリルバーナが点火、消火され調理に供するものである。４４は温度調整、タイマー等の選択スイッチを備えた操作盤である。
【００１３】
図１乃至図６において、この発明は前面操作パネル面５の下部を奥へ下り傾斜状としてその傾斜面５ａに電池ケース取り出し口９を設け、前記操作パネル面５の電池ケース取り出し口９に連通しかつ傾斜した操作パネル面５に対して奥方向の斜め上方へ電池ケース収容枠体１０を傾斜して設け、該電池ケース収容枠体１０に１又は複数個の電池を収容する電池ケース２０を前記操作パネル面５に設けた取り出し口９を通じて出没可能に備え、電池ケース２０を前面操作パネル面５より少なくとも一個の電池を露出しうる最終位置で保持可能で、かつ前面操作パネル面５に収める収納位置でロック可能に備える。前記電池ケース収容枠体１０と電池ケース２０に、電池ケース２０を前面操作パネル面５より少なくとも一個の電池を露出しうる最終位置で受止め保持するストッパー手段１２を備える。
【００１４】
テーブルコンロ１の前面操作パネル面５は図１、図３乃至図６に示すようにその中央部で屈曲して下部を奥へ下り傾斜状に形成され、その傾斜面に四角形の電池取り出し口９が形成される。そして、前記下方へ傾斜した操作パネル面５ａに設けた電池ケース取り出し口９に連通しかつその操作パネル面５ａに対して奥方向の斜め上方へ電池ケース収容枠体１０が傾斜して設けられる。操作パネル面５と収容枠体間等に無駄なスペースができないようにする。
電池ケース収容枠体１０を傾斜状に設けて、該電池ケース収容枠体１０の内部に１又は複数個の電池を収容する電池ケース２０を前記操作パネル面５に設けた取り出し口９を通じて出没可能に備え、電池ケース２０を前面操作パネル面より少なくとも一個の電池を露出しうる最終位置で保持可能で、かつ前面操作パネル面５に収める収納位置でロック可能に備える。
そして、この電池ケース収容枠体１０と、それにスライド可能に備える電池ケース２０には、収納状態で係脱しうるロック手段１１と、前面操作パネル面５より前方に少なくとも一個の電池を露出する最終位置で止めうるストッパー手段１２とを備え、電池ケース収容枠体１０と電池ケース２０のロックを外すと、電池ケースが２０ケースの傾斜と、乾電池および電池ケース２０の自重で円滑に前方へスライドするように備える。
また、前記ロック手段１１は電池ケース収容枠体１０の係止穴１８と、電池ケース２０の操作ツマミ３２の係止凸起３３とにより構成され、また、電池ケースを最終位置で止めうるストッパー手段１２は、電池ケース２０の係合突部２７と、電池ケース収容枠体１０の側面の開口１５に設けた前記電池ケースの係合突部２７を受止める受止め部１７とにより構成されている。
【００１５】
１０は金属製等の電池ケース収容枠体で、電池ケースを収容できる幅と高さと、長さの角筒状に形成され、前面は開口され、後部には合成樹脂製後壁１３が備えられる。そして、該電池ケース収容枠体１０には後壁１３に乾電池Ａのマイナス側に接する端子バネ１４が設けられ、かつ片側の上面と側面には電池ケース２０の係合突部２７と端子片２８を移動（スライド）させる開口１５と、該側面の開口１５の前端にガイド凹孔１５ａを設けて凹孔１５ａの内端に前記係合突部２７を受止める受止め部１７が設けられ、かつ又、底壁前端には後述する電池ケース２０のロック手段１１の係止凸起３３が係脱する係止穴１８が設けられている。
この電池ケース収容枠体１０はコンロ１の操作パネル面５の下部の傾斜面５ａに設けた電池取り出し口９に連通され、奥方向の上方へ傾斜状して設置され、該電池ケース収容枠体１０に１又は複数個の電池を収容する電池ケース２０が前記操作パネル面５に設けた取り出し口９を通じて出没可能に備えられている。すなわち、電池ケース収容枠体１０は操作パネル面５に対してほぼ直角方向に傾斜させて設置される。この電池ケース収容枠体の傾斜、すなわち水平面とのなす角度θを電池、電池ケースが自重で滑り動く程度の傾斜角度とするのが好ましい。なお、上記端子バネ１４には接続端子片１４ａが外部に突出して接続されている。この端子片１４ａに配線のコネクタが着脱自由に備えられる。
【００１６】
該枠体１０に設ける開口１５の長さは、開口１５の後部と開口前部の凹孔１５ａの受止め部１７との間を電池ケース２０が操作パネル面５より少なくとも電池１個分だけ露出しうるストロークＬとして電池ケース２０の係合突部２７が一定ストロークＬの範囲で進退移動できるように設け、かつ電池ケース２０の係合突部２７が電池ケース収容枠体１０の受止め部１７に当たるまでに端子片２８が壁に突き当たらないように設ける。係合突部２７は、コ型の切込みを入れて舌状片２６の先端部に断面形状がほぼ三角形状に形成され、舌状片の弾性を利用して受止め部に係合可能としてある。
電池ケース収容枠体１０を前記した操作パネル面５の傾斜面５ａに対して傾斜状に設置するために、前記収容枠体１０の下面には略水平なネジ止め用の座４０と器具のガス管に引掛けうる引掛け凹部４１とを備えた取付座４２が設けられた構成となっている。
【００１７】
電池ケース２０を操作パネル面５の傾斜面５ａの電池ケース取り出し口９の前面より少なくとも一個の電池を露出する最終位置で止めうるストッパー手段１２を説明すると、電池ケース収容枠体１０の開口１５の前端に受止め部１７として切起片が一体に折曲げ形成され、電池ケースの後部の設けた係合突部２７を切起片１７で受け止めたときに電池ケース２０が操作パネル面５の傾斜面５ａの電池ケース取り出し口９の前面より少なくとも一個の電池が露出する最終位置で受け止められ、そのケースの上部より電池を取り出しうるようにする。なお、前記ストッパー手段は片側に設けたが、これに限られるものでなく、両側に設けることも可能である。
【００１８】
図７乃至図９において、２０は合成樹脂製等の蓋付き電池ケースで、１又は複数個の電池を収容できる長さで、上面が開放された箱型のケース主体２１で、その内面に乾電池Ａを安定的に支承するために電池の外径にほぼ合致しうる円弧状とした複数の突状２２が間隔をおいて形成され、前方寄りに乾電池Ａのプラス側に接する金属製の端子板２３が取付けられた凸壁２４が備えられ、前端には器具の前面パネル２に穿った取り出し口９に適合する蓋体２５を有し、かつ、底壁前面にロック手段１１の係止凸起３３を有し、側壁後端にはストッパー手段１２の係合突部２７が備えられた構成となっている。また、電池ケース２０の後部は開放して、該ケースが後退位置（収納位置）にあるとき電池ケース収容枠体１０の後壁３１の端子バネ１４の先端部が電池ケース２０内に入るようにして、電池ケースの乾電池Ａのマイナス側を端子バネ１４を圧縮状として接しうるようにしてある。この電池ケース２０は前記傾斜状とした電池ケース収容枠体１０の底面に載せられているので、その傾斜した底面に沿って押し込み又は進出がなされる。また、ケース主体２１の側面の係合突部２７は前記電池ケース収容枠体１０の片側の開口１５の上端より上方に位置させて、電池ケース２０の進退時に係合突部２７が開口内の上端に沿って、移動可能とされている。
【００１９】
而して、蓋付き電池ケース２０が一定ストロークＬ引き出されたところでストッパー手段１２でその引き出しが受止められる。電池ケースはストッパー手段で受け止められるので、電池ケース、電池の脱落の心配はない。電池ケース２０の側壁後端に前記電池ケース収容枠体１０の側壁前端部に設けた切起片１７に係合しうる係合突部２７が形成され、該電池ケース２０の係合突部２７が電池ケース２０を一定ストローク引き出したところで係合されてその引き出しが規制される。その引き出した位置で電池ケース２０を操作パネル面５の前面より少なくとも一個の電池が露出するように進出させて、電池ケースの上部より電池を取り出しうるようにする。１個の電池を取り出すと、奥の電池がケース内を露出位置までスライドして取り出すことができる。
前記端子板２３は電池ケース２０の内面の一側面に設けた連結片２９を介して後端部の端子片２８と一体に形成されている。後端部の端子片２８は電池ケース２０の上面より突出して設けられ、配線のコネクタが着脱自由に備えられる。連結片２９は電池ケース２０の側面と、突状２２との間の間隙に挿入されている。後端の端子片２８は電池ケース収容枠体１０の側面および上面の開口１５内を移動できるようにする。
実施形態では２個の電池を収容でき、電池ケースを最終位置に進出した時に１個の電池と次の電池の一部が露出しうるようにしてあり、２個の電池のうちの手前の電池と取り出すと、奥に入れた電池がスライドして前方に露出して取り出すことができるようにする。最終位置で２個の電池を露出するようにもできる。
【００２０】
１１はロック手段で、電池ケース２０の蓋体２５の下部に形成した開口部３０内に、前端より所定の幅を存して２条の切り込み溝３１を入れて、ケースの底面と一体の復元力をもつ板状体が形成されて前端に操作ツマミ３２が備えられ、該操作ツマミ３２の前方寄りの下面に前記電池ケース収容枠体１０の係止穴１８に係脱する係止凸起３３が形成されている。ストッパー手段１２の前端の操作ツマミ３２は開口部３０内で前記蓋体２５の下面に位置させて、器具の前面から開口部に指を入れて操作ツマミを押し上げ操作を容易に行えるようにしてある。また、係止凸起３３は逆三角形状として係止時は操作ツマミ３２を弾性を利用して上方へ押し、奥へ押し込むことにより、係止凸起３３を一旦電池ケース収容枠体１０の底面上に載せ、係止穴１８において復元力で自動的に係止凸起３３が下方へ下がり係止されてロックされる。
電池を収納、交換時にロックを解除するには、操作ツマミ３２をその反力に抗して持上げることにより係止凸起３３が係止穴１８から容易に脱出してロックが解かれ、電池ケースを電池ケース収容枠体から外すと自重で進出するように構成されている。なお、上記ロック手段１１はケースと一体に形成されているが、これに限られるものではなく、別体の係止凸起を有する板状体を電池ケースの底壁前面に取付けることもできる。
【００２１】
上記構成において、この発明の電池ケース２０をテーブルコンロの前面一側の電池収納部に取付け設置する場合は、電池ケース収容枠体１０をその取付座４０の引掛け凹部４２を近くのガス配管に嵌めつけて引掛け支持した後、ネジ止め用の座４１を例えば、器体側の水平な取付板４３にネジ止めすれば、電池ケース収容枠体１０の所定位置へ傾斜状に取付け設置ができる。電池ケース収容枠体１０を傾斜状とすることで、奥行きを短くでき、コンロの内部の狭い空間を利用して設置することが可能となる。また、前面操作パネル面５を下部を奥へ下り傾斜として、その操作パネル面に電池ケース収容枠体を斜めに設けるので、操作パネル面と収容枠体との間に無駄なスペースができることがない。
【００２２】
次に、この発明のテーブルコンロで、電池交換に際し蓋付き電池ケース２０を引き出すときは、ロック手段１１に備えた操作ツマミ３２を器具前面からその復元力に抗して持上げると、その係止凸起３３が係止穴１８から外れる。この係止凸起３３が係止穴１８から外れると、蓋付き電池ケース２０はケースと２個の乾電池の自重で電池ケース収容枠体１０内を前方へスライドし、操作パネル面５の傾斜面５ａの前面より前方に略電池１個半分だけ露出する最終位置でストッパー手段１２で受け止めて保持される。電池ケース収容枠体１０の後壁１２の端子バネ１４の作用によっても電池が押されてケースを前方へスライドさせる。而して、蓋付き電池ケース２０は操作パネル面５の傾斜面５ａの前面より前方に略電池１個半分だけ広く露出するので、ケース内部の手前の電池が手で取り出しやすい。また、上面より一個の電池を取り出すと、奥に収容されている電池が傾斜で前方へ移動して露出し同様にして取り出すことができる。
【００２３】
電池ケースに電池を入れて収納する場合について説明すると、電池ケース２０を前記の最終位置に略１個半分だけ広く露出するので、ケース主体２１に２個の乾電池Ａを順に入れて直列に配置して装着し蓋付き電池ケース２０を操作パネル面５の電池ケース取り出し口９を通じて傾斜状の電池ケース収容枠体１０に挿入し、乾電池Ａのマイナス側に接する端子バネ１４を圧縮して所定の収納位置にまで達すると、ロック手段１１の係止凸起３３が電池ケース収容枠体１０の係止穴１８にその反力で確実に自動係止され、かつ電池ケース２０の蓋体２５が操作パネル面５の取り出し口３を塞ぎ、電池ケースの蓋体の前面と操作パネル面の前面がほぼ同一面となって収納される。したがって、乾電池Ａは所定の位置にあってその端子板２３へのプラス側の接触と端子バネ１４へのマイナス側の接触とが安定的に行われる。
【００２４】
そこで、蓋付き電池ケース２０のケース主体２１から古い乾電池を取り出し、新しい乾電池を装着して後、蓋付き電池ケース２０を電池ケース収容枠体１０に前述の理により挿入セットすれば電池交換は完了する。
【００２５】
以上この発明の実施例について説明したが、この発明はこうした実施例に何等限定されるものではなく、この発明の要旨を逸脱しない範囲において、種々なる態様で実施し得ることは勿論である。この発明はテーブルガスコンロに適用した実施例を示したが、これに限るものでなく、種々のコンロに適用できる。また、実施例は２個の乾電池を直列配置したものであるが、１個の乾電池の場合でも適用できる。上記電池ケース収容枠体１０は金属製、蓋付き電池ケース２０は合成樹脂製としてあるが、枠体を合成樹脂製等とすることもできる。
【００２６】
【発明の効果】
この発明のコンロによれば、前面操作パネル面の下部の下り傾斜面に設けた電池ケース取り出し口に電池ケース収容枠体を電池ケース奥方向の斜め上方へ傾斜して設け、電池ケースを前記操作パネル面に設けた取り出し口を通じて出没可能に備え、電池ケースを前面操作パネル面より少なくとも一個の電池を露出しうる最終位置最終位置まで自動的にスライドさせて保持させるので、電池ケースが広く露出してそこから電池を取り出すので、電池の交換がしやすい。電池ケースの手前の電池を取り出してあけると、奥に入れた電池も傾斜で前方にスライドして取り出しできる。電池ケースを収納位置まで電池ケースを押し込んでロックし、操作パネル面の電池ケース取り出し口を電池ケースの蓋で塞ぐことができる。また、操作パネル面と電池ケース収容枠体との間に無駄なスペースができない。
【００２７】
この発明のコンロによれば、前記電池ケース収容枠体の傾斜を電池ケースが自重で滑り動く程度の傾斜としたので、電池ケースが自動的に電池ケース取り出し口から進出して、電池の交換を容易にできる。
【００２８】
この発明のコンロによれば、前記電池ケース収容枠体と電池ケースに、電池ケースを前面操作パネル面より少なくとも一個の電池を露出しうる最終位置で受止め保持するストッパー手段を備えたので、電池ケースを電池ケース取り出し口から少なくとも１個の電池を操作パネル面の前面に露出した状態で確実に受止めて保持でき、電池ケース、電池の脱落の心配はない。
【図面の簡単な説明】
【図１】この発明のコンロの斜視図である。
【図２】同正面図である。
【図３】電池ケース収容枠体に電池ケースを収納状態の左側面図平面図である。
【図４】同平面図である。
【図５】電池ケース収容枠体に電池ケースを収納状態の断面図である。
【図６】電池ケースが進出した状態の一部破断右側面図である。
【図７】電池ケースの正面図である。
【図８】同平面図である。
【図９】同底面図である。
【符号の説明】
１　テーブコンロ
５　前面操作パネル面
５ａ　傾斜面
９　電池ケース取り出し口
１０　電池ケース収容枠体
１１　ロック手段
１２　ストッパー手段
１４　端子バネ
１５　開口
１７　受止め部
１８　係止穴
２０　電池ケース
２１　ケース主体
２３　端子板
２５　蓋体
２７　係合突部
２８　端子片
３２　操作ツマミ
３３　係止凸起
Ａ　　乾電池
【図１】
2004125335.tif 000003
【図２】
2004125335.tif 000004
【図３】
2004125335.tif 000005
【図４】
2004125335.tif 000006
【図５】
2004125335.tif 000007
【図６】
2004125335.tif 000008
【図７】
2004125335.tif 000009
【図８】
2004125335.tif 000010
【図９】
2004125335.tif 000011